(57)【要約】【課題】  剪定枝葉等の廃棄植物の回収側と回収した廃棄植物を原料とした有機質資材の販売側とを密接に結び付け、特に、ある地域内でのリサイクルを促進させる。【解決手段】  流通支援業者が有する廃棄植物のリサイクル用サーバー０１０１と、廃棄植物を回収する造園業者および廃棄植物を出す樹木等所有者が有する廃棄植物のリサイクル用端末０１０２・０１０３とを備え、廃棄植物の引取り料等に応じて廃棄植物を原料とする有機質資材の販売価格が値引きされる。【選択図】  図１
2005071343.tif 000002
【特許請求の範囲】
【請求項１】
廃棄植物のリサイクル用サーバーと、廃棄植物のリサイクル用端末とを備えた廃棄植物のリサイクルシステムであって、リサイクル用サーバーは、廃棄植物の回収に関する情報を管理する回収情報処理部と、廃棄植物を原料として得られる有機質資材の販売に関する情報を管理する販売情報処理部とを有し、リサイクル用端末は、廃棄植物の回収に関する情報を入力する回収情報入力部と、回収情報入力部に入力された回収情報をリサイクル用サーバーに送信する回収情報送信部とを有し、前記リサイクル用サーバーの回収情報処理部は、前記リサイクル用端末から送信された回収情報を受信する回収情報受信手段と、受信した回収情報と前記リサイクル用端末の所有者を識別する識別子とを対にして蓄積しておく回収情報蓄積手段とを有し、前記販売情報処理部は、回収情報蓄積手段に蓄積されている回収情報の中から特定の識別子を有する回収情報を取り出す回収情報取得手段と、取得した回収情報と廃棄植物を原料として得られる有機質資材の正規価格とから有機質資材の販売価格を算出する有機質資材販売価格算出手段とを有する、廃棄植物のリサイクルシステム。
【請求項２】
回収情報が廃棄植物の引取り料または回収量、或いはこれらのいずれかに基づくポイント情報であることを特徴とする、請求項１記載の廃棄植物のリサイクルシステム。
【請求項３】
リサイクル用端末の他に、廃棄植物を原料として得られる有機質資材を使って植物を生産する植物生産者が使用するリサイクル用第２端末を更に備えた廃棄植物のリサイクルシステムであって、前記リサイクル用第２端末は、リサイクル用端末の所有者に対し、前記植物を販売する場合に、少なくとも前記リサイクル用端末の所有者を識別する識別子を入力する識別子入力部と、入力された識別子をリサイクル用サーバーに送信する識別子送信部と、リサイクル用サーバーから前記送信した識別子に対応するリサイクル用端末所有者の植物値引き額情報を受信する植物値引き額情報受信部と、受信した値引き額情報を表示する植物値引き額情報表示部とを有し、リサイクル用サーバーは、リサイクル用第２端末から識別子を受信する識別子受信部と、受信した識別子に対応する回収情報に基づいて植物値引き額を算出する植物値引き額算出手段と、算出した植物値引き額情報をリサイクル用第２端末へ送信する植物値引き額情報送信部と、送信した値引き額情報を蓄積しておく植物値引き額情報蓄積部とを更に有し、販売情報処理部の有機質資材販売価格算出手段は、前記植物値引き額情報蓄積部に蓄積されている値引き額情報に基づいて植物生産者に対する有機質資材の販売価格をも算出することを特徴とする、請求項１または請求項２記載の廃棄植物のリサイクルシステム。
【請求項４】
リサイクル用端末、或いは更にリサイクル用第２端末が廃棄植物を原料として得られる有機質資材の注文情報を入力する有機質資材注文情報入力部と、入力された有機質資材注文情報を送信する有機質資材注文情報送信部とを更に有し、リサイクル用サーバーの販売情報処理部は、前記リサイクル用端末またはリサイクル用第２端末から有機質資材注文情報を受信する有機質資材注文情報受信手段を更に有する、請求項１〜請求項３のうちのいずれか一項記載の廃棄植物のリサイクルシステム。
【請求項５】
会員制のリサイクルシステムであって、各会員がリサイクル用端末またはリサイクル用第２端末を有し、リサイクル用サーバーは、各会員の少なくとも氏名または名称、所在地を含む会員情報を蓄積しておく会員情報蓄積部を更に有し、リサイクル用サーバーの販売情報処理部における有機質資材販売価格算出手段が廃棄植物の処理工場から会員の所在地までの距離を係数として有機質資材の販売価格を算出することを特徴とする、請求項１〜請求項４のうちのいずれか一項記載の廃棄植物のリサイクルシステム。
【請求項６】
会員制のリサイクルシステムであって、各会員がリサイクル用端末またはリサイクル用第２端末を有し、リサイクル用サーバーは、各会員の少なくとも氏名または名称、所在地を含む会員情報を蓄積しておく会員情報蓄積部を更に有し、リサイクル用サーバーの販売情報処理部における植物値引き額算出手段が、植物生産者の所在地とリサイクル用端末の所有者の所在地間の距離を係数として植物の値引き額を算出することを特徴とする、請求項１〜請求項５のうちのいずれか一項記載の廃棄植物のリサイクルシステム。
【請求項７】
廃棄植物が剪定枝葉であり、有機質資材が前記剪定枝葉を原料として得られる有機質資材であることを特徴とする、請求項１〜請求項６のうちのいずれか一項記載の廃棄植物のリサイクルシステム。
【請求項８】
リサイクル用端末が、造園業者或いは更に植物所有者、廃棄植物を原料として有機質資材を製造する処理業者が所有するものであることを特徴とする、請求項１〜請求項７のうちのいずれか一項記載の廃棄植物のリサイクルシステム。
【請求項９】
廃棄植物の回収に関する情報を管理する回収情報処理部と、廃棄植物を原料として得られる有機質資材の販売に関する情報を管理する販売情報処理部とを備え、前記回収情報処理部は、回収情報と回収先を識別する識別子とを対にして蓄積しておく回収情報蓄積手段を有し、前記販売情報処理部は、回収情報蓄積手段に蓄積されている回収情報の中から特定の識別子を有する回収情報を取り出す回収情報取得手段と、取得した回収情報と廃棄植物を原料として得られる有機質資材の正規価格とから有機質資材の販売価格を算出する有機質資材販売価格算出手段とを有する、廃棄植物のリサイクル用情報処理装置。
【請求項１０】
有機質資材の注文情報を受信する有機質資材注文情報受信手段を更に有する、請求項９記載の廃棄植物のリサイクル用情報処理装置。
【請求項１１】
廃棄植物の回収に関する情報を管理する回収情報処理部と、廃棄植物を原料として得られる有機質資材の販売に関する情報を管理する販売情報処理部とを有し、また前記回収情報処理部は、前記リサイクル用端末から送信された回収情報を受信する回収情報受信手段と、受信した回収情報と前記リサイクル用端末の所有者を識別する識別子とを対にして蓄積しておく回収情報蓄積手段とを有し、前記販売情報処理部は、回収情報蓄積手段に蓄積されている回収情報の中から特定の識別子を有する回収情報を取り出す回収情報取得手段と、取得した回収情報と廃棄植物を原料として得られる有機質資材の正規価格とから有機質資材の販売価格を算出する有機質資材販売価格算出手段と、種々の情報を入力するための入力部と、リサイクル用第２端末から、植物を購入しようとする会員の識別子を受信する識別子受信部と、受信した識別子に対応する会員の回収情報に基づいて植物値引き額を算出する植物値引き額算出部と、算出した植物値引き額情報をリサイクル用第２端末へ送信する植物値引き額情報送信部と、送信した値引き額情報を蓄積しておく植物値引き額情報蓄積部と、会員の氏名または名称並びに住所または所在地を蓄積しておく会員情報蓄積部とを更に有し、販売情報処理部の有機質資材販売価格算出手段は、前記植物値引き額情報蓄積部に蓄積されている値引き額情報に基づいて植物生産者に対する有機質資材の販売価格をも算出する、廃棄植物のリサイクル用情報処理装置。
【請求項１２】
回収情報が廃棄植物の引取り料または回収量、或いはこれらのいずれかに基づくポイント情報であることを特徴とする、請求項９〜請求項１１のうちのいずれか一項記載の廃棄植物のリサイクル用情報処理装置。
【請求項１３】
廃棄植物の回収に関する情報を入力する回収情報入力部と、回収情報入力部に入力された回収情報をリサイクル用情報処理装置に送信する回収情報送信部とを有する、リサイクル用端末。
【請求項１４】
有機質資材の注文情報を入力する有機質資材注文情報入力部と、入力された有機質資材注文情報をリサイクル用情報処理装置に送信する有機質資材注文情報送信部とを更に有する、請求項１３記載のリサイクル用端末。
【請求項１５】
リサイクル用端末の所有者を識別する識別子を入力する識別子入力部と、入力された識別子をリサイクル用情報処理装置に送信する識別子送信部と、リサイクル用情報処理装置から前記送信した識別子に対応するリサイクル用端末所有者の植物値引き額情報を受信する植物値引き額情報受信部と、受信した値引き額情報を表示する植物値引き額情報表示部とを有する、リサイクル用第２端末。
【発明の詳細な説明】
【技術分野】
【０００１】
本発明は、街路樹や庭園等における樹木を剪定・伐採等したときに発生する廃棄植物のリサイクルシステムに関する。
【背景技術】
【０００２】
街路樹は、通常、道路を管理する地方自治体や道路公団等から依頼を受けた造園業者によって剪定が行われるが、この際、大量の剪定枝葉が発生する。この有効利用を図るため、剪定した枝葉をそのまま細かく粉砕して有機質資材の原料として用いたり、或いは剪定枝葉を所定の大きさにチップ化した後、枝と葉をほぼ完全に分別して枝を園芸用のマルチング材として利用する一方、葉を土壌改良材の原料として利用することも考えられている。
【特許文献１】特開２００２−１２７１０９
【発明の開示】
【発明が解決しようとする課題】
【０００３】
しかしながら、前述したような剪定枝葉等の廃棄植物を原料として得られる各種有機質資材の利用を促進するリサイクルシステムが十分に確立されておらず、そのため街路樹等の剪定によって発生する大量の枝葉のすべてが有機質資材の原料として有効に活用されていないのが実情である。
【０００４】
また、近年、環境保護や資源の有効利用が社会的な課題となる中で、剪定枝葉等の廃棄植物が資源として実質的に有効利用されるためには、回収した大量の廃棄植物を遠く離れた有機質資材化工場まで輸送したのでは、輸送トラックが多くの燃料を消費すると共にトラックの排気ガスによる大気汚染を伴うことから、剪定枝葉等の廃棄植物が発生した地域内で有機質資材化処理すると共に同地域内で有機質資材として再利用することが最も望ましい。
【０００５】
本発明の目的は、剪定枝葉等の廃棄植物の回収側と回収した廃棄植物を原料とした有機質資材の販売側とを密接に結び付け、また特に、ある地域内における廃棄植物回収側と有機質資材販売側との結び付きを促進することにより、剪定枝葉等の廃棄植物の有効利用を図ることができるリサイクルシステムを提供することにある。
【課題を解決するための手段】
【０００６】
請求項１記載の廃棄植物のリサイクルシステムは、廃棄植物のリサイクル用サーバーと、廃棄植物のリサイクル用端末とを備えた廃棄植物のリサイクルシステムであって、リサイクル用サーバーは、廃棄植物の回収に関する情報を管理する回収情報処理部と、廃棄植物を原料として得られる有機質資材の販売に関する情報を管理する販売情報処理部とを有し、リサイクル用端末は、廃棄植物の回収に関する情報を入力する回収情報入力部と、回収情報入力部に入力された回収情報をリサイクル用サーバーに送信する回収情報送信部とを有し、前記リサイクル用サーバーの回収情報処理部は、前記リサイクル用端末から送信された回収情報を受信する回収情報受信手段と、受信した回収情報と前記リサイクル用端末の所有者を識別する識別子とを対にして蓄積しておく回収情報蓄積手段とを有し、前記販売情報処理部は、回収情報蓄積手段に蓄積されている回収情報の中から特定の識別子を有する回収情報を取り出す回収情報取得手段と、取得した回収情報と廃棄植物を原料として得られる有機質資材の正規価格とから有機質資材の販売価格を算出する有機質資材販売価格算出手段とを有するものである。
【０００７】
請求項２記載の廃棄植物のリサイクルシステムは、前記請求項１記載のリサイクルシステムについて、回収情報が廃棄植物の引取り料または回収量、或いはこれらのいずれかに基づくポイント情報であることを特徴とするものである。
【０００８】
請求項３記載の廃棄植物のリサイクルシステムは、前述したシステムについて、リサイクル用端末の他に、廃棄植物を原料として得られる有機質資材を使って植物を生産する植物生産者が使用するリサイクル用第２端末を更に備え、前記リサイクル用第２端末は、リサイクル用端末の所有者に対し、前記植物を販売する場合に、少なくとも前記リサイクル用端末の所有者を識別する識別子を入力する識別子入力部と、入力された識別子をリサイクル用サーバーに送信する識別子送信部と、リサイクル用サーバーから前記送信した識別子に対応するリサイクル用端末所有者の植物値引き額情報を受信する植物値引き額情報受信部と、受信した値引き額情報を表示する植物値引き額情報表示部とを有し、リサイクル用サーバーは、リサイクル用第２端末から識別子を受信する識別子受信部と、受信した識別子に対応する回収情報に基づいて植物値引き額を算出する植物値引き額算出部と、算出した植物値引き額情報をリサイクル用第２端末へ送信する植物値引き額情報送信部と、送信した値引き額情報を蓄積しておく植物値引き額情報蓄積部とを更に有し、販売情報処理部の有機質資材販売価格算出手段は、前記植物値引き額情報蓄積部に蓄積されている値引き額情報に基づいて植物生産者に対する有機質資材の販売価格をも算出することを特徴とするものである。
【０００９】
請求項４記載の廃棄植物のリサイクルシステムは、前述したシステムについて、廃棄植物を原料として得られる有機質資材の販売も情報通信により行うものであり、具体的にはリサイクル用端末、或いは更にリサイクル用第２端末が廃棄植物を原料として得られる有機質資材の注文情報を入力する有機質資材注文情報入力部と、入力された有機質資材注文情報を送信する有機質資材注文情報送信部とを更に有し、リサイクル用サーバーの販売情報処理部は、前記リサイクル用端末またはリサイクル用第２端末から有機質資材注文情報を受信する有機質資材注文情報受信手段を更に有することを特徴とする。
【００１０】
請求項５記載の廃棄植物のリサイクルシステムは、前述したシステムを会員制とするものであって、各会員がリサイクル用端末またはリサイクル用第２端末を有し、リサイクル用サーバーは、各会員の少なくとも氏名または名称、所在地を含む会員情報を蓄積しておく会員情報蓄積部を更に有し、リサイクル用サーバーの販売情報処理部における有機質資材販売価格算出手段が廃棄植物の処理業者から会員の所在地までの距離を係数として有機質資材の販売価格を算出することを特徴とするものである。
【００１１】
請求項６記載の廃棄植物のリサイクルシステムは、前記請求項５記載のシステムと同様、会員制であって、リサイクル用サーバーの販売情報処理部における植物値引き額算出部が、植物生産者の所在地とリサイクル用端末の所有者の所在地間の距離を係数として植物の値引き額を算出することを特徴とするものである。
【００１２】
請求項７記載のリサイクルシステムは、前述したシステムについて、廃棄植物が剪定枝葉であり、有機質資材が前記剪定枝葉を原料として得られる有機質資材であることを特徴とするものである。
【００１３】
請求項８記載のリサイクルシステムは、前述したシステムについて、それらのリサイクル用端末が、造園業者或いは更に植物所有者、廃棄植物を原料として有機質資材を製造する処理業者が所有するものであることを特徴とするものである。
【００１４】
請求項９記載の本発明は、廃棄植物の回収に関する情報を管理する回収情報処理部と、廃棄植物を原料として得られる有機質資材の販売に関する情報を管理する販売情報処理部とを備え、前記回収情報処理部は、回収情報と回収先を識別する識別子とを対にして蓄積しておく回収情報蓄積手段を有し、前記販売情報処理部は、回収情報蓄積手段に蓄積されている回収情報の中から特定の識別子を有する回収情報を取り出す回収情報取得手段と、取得した回収情報と廃棄植物を原料として得られる有機質資材の正規価格とから有機質資材の販売価格を算出する有機質資材販売価格算出手段とを有するリサイクル用情報処理装置に関するものである。
【００１５】
請求項１０記載の本発明は、前記請求項９記載の廃棄植物のリサイクル用情報処理装置について、有機質資材の注文情報を受信する有機質資材注文情報受信手段を更に有するものである。
【００１６】
請求項１１記載の本発明は、廃棄植物の回収に関する情報を管理する回収情報処理部と、廃棄植物を原料として得られる有機質資材の販売に関する情報を管理する販売情報処理部とを有し、また前記回収情報処理部は、前記リサイクル用端末から送信された回収情報を受信する回収情報受信手段と、受信した回収情報と前記リサイクル用端末の所有者を識別する識別子とを対にして蓄積しておく回収情報蓄積手段とを有し、前記販売情報処理部は、回収情報蓄積手段に蓄積されている回収情報の中から特定の識別子を有する回収情報を取り出す回収情報取得手段と、取得した回収情報と廃棄植物を原料として得られる有機質資材の正規価格とから有機質資材の販売価格を算出する有機質資材販売価格算出手段と、種々の情報を入力するための入力部と、リサイクル用第２端末から、植物を購入しようとする会員の識別子を受信する識別子受信部と、受信した識別子に対応する会員の回収情報に基づいて植物値引き額を算出する植物値引き額算出部と、算出した植物値引き額情報をリサイクル用第２端末へ送信する植物値引き額情報送信部と、送信した値引き額情報を蓄積しておく植物値引き額情報蓄積部と、会員の氏名または名称並びに住所または所在地を蓄積しておく会員情報蓄積部とを更に有し、販売情報処理部の有機質資材販売価格算出手段は、前記植物値引き額情報蓄積部に蓄積されている値引き額情報に基づいて植物生産者に対する有機質資材の販売価格をも算出する廃棄植物のリサイクル用情報処理装置に関するものである。
【００１７】
請求項１２記載の本発明は、前記請求項９〜請求項１１のうちのいずれか一項記載の廃棄植物のリサイクル用情報処理装置について、回収情報が廃棄植物の引取り料または回収量、或いはこれらのいずれかに基づくポイント情報であることを特徴とするものである。
【００１８】
請求項１３記載の本発明は、廃棄植物の回収に関する情報を入力する回収情報入力部と、回収情報入力部に入力された回収情報をリサイクル用サーバーに送信する回収情報送信部とを有するリサイクル用端末に関するものである。
【００１９】
請求項１４記載の本発明は、前記請求項１３記載のリサイクル用端末について、有機質資材の注文情報を入力する有機質資材注文情報入力部と、入力された有機質資材注文情報をリサイクル用サーバーに送信する有機質資材注文情報送信部とを更に有するものである。
【００２０】
請求項１５記載の本発明は、リサイクル用端末の所有者を識別する識別子を入力する識別子入力部と、入力された識別子をリサイクル用サーバーに送信する識別子送信部と、リサイクル用サーバーから前記送信した識別子に対応するリサイクル用端末所有者の植物値引き額情報を受信する植物値引き額情報受信部と、受信した値引き額情報を表示する植物値引き額情報表示部とを有するリサイクル用第２端末に関するものである。
【発明の効果】
【００２１】
本発明に係る廃棄植物のリサイクルシステムは、街路樹等の剪定や庭園における植物の伐採等によって、廃棄植物を発生させた者に対して、前記廃棄植物を原料として得られる有機質資材を提供するにあたり、該有機質資材の販売価格を廃棄植物の引取り料等に応じて適宜値引きするシステムであるため、廃棄植物の回収側と有機質資材の利用側とが有機的に結び付き易く、そのため廃棄植物のリサイクルを促進することができる。
【００２２】
また、特に、廃棄植物の処理業者や廃棄植物を原料として得られる野菜、花卉等の植物生産者から有機質資材購入者までの距離を係数として前記値引き額を算出する本発明のリサイクルシステムによれば、前記廃棄植物の処理地や前記植物生産地と廃棄植物を原料とした有機質資材の販売先とがある地域内で結び付き易いため、廃棄植物のリサイクルがいっそう有効に行われ得る。
【発明を実施するための最良の形態】
【００２３】
次に、本発明を剪定枝葉のリサイクルに適用した場合の実施形態について、図面にしたがって説明する。
【００２４】
（実施形態１）
【００２５】
図１に示すように、本実施形態における剪定枝葉のリサイクルシステムは、流通支援業者のリサイクル用サーバー（０１０１）と、庭園等を所有する樹木等所有者のリサイクル用端末（０１０２）と、庭園における樹木や街路樹等の剪定を行ったり、剪定により生じた枝葉を回収する造園業者のリサイクル用端末（０１０３）とによって構成される。また、前記剪定枝葉は、処理業者において有機質資材の原料として用いられる。
【００２６】
図２に示すように、リサイクル用サーバー（０１０１）は、剪定枝葉の回収に関する情報を管理する回収情報処理部（０２０１）と、剪定枝葉を原料として得られる有機質資材の販売に関する情報を管理する販売情報処理部（０２０２）と、種々の情報を入力するための入力部（０２０７）を有し、また前記回収情報処理部（０２０１）は、リサイクル用端末（０１０２）（０１０３）から送信された回収情報を受信する回収情報受信手段（０２０３）と、受信した回収情報と前記リサイクル用端末（０１０２）（０１０３）の所有者を識別する識別子とを対にして蓄積しておく回収情報蓄積手段（０２０４）とを有し、前記販売情報処理部（０２０２）は、回収情報蓄積手段（０２０４）に蓄積されている回収情報の中から特定の識別子を有する回収情報を取り出す回収情報取得手段（０２０５）と、取得した回収情報と剪定枝葉を原料として得られる有機質資材の正規価格とから有機質資材の販売価格を算出する有機質資材販売価格算出手段（０２０６）とを有する。
【００２７】
なお、本実施形態では、前記リサイクル用端末（０１０２）（０１０３）は、携帯電話機であり、リサイクル用端末（０１０２）（０１０３）の所有者を識別する識別子とは携帯電話番号であり、また前記回収情報とは剪定枝葉の引取り料を意味する。引取り料とは、本実施形態では、図１における造園業者等が処理業者に剪定枝葉を持ち込んだ際、造園業者等が処理業者に支払う料金をいう。
【００２８】
回収情報受信手段（０２０３）とは、前述した通り、リサイクル用端末（０１０２）（０１０３）から送信された回収情報を受信するものであるが、具体的には、モデム等が該当する。
【００２９】
前記回収情報蓄積手段（０２０４）とは、図３に示すように、剪定枝葉の回収情報としての剪定枝葉引取り料とリサイクル用端末（０１０２）（０１０３）の番号（携帯電話番号）とを対にして記憶しておく機能を有するものであって、例えばハードディスク等の記録媒体と記録するソフトウエアとによって実現される。
【００３０】
より詳細には、回収情報蓄積手段（０２０４）では、リサイクル用端末（０１０２）（０１０３）から回収情報を受信した際、受信した携帯電話番号とその回収情報とを記録し、また以前にも回収情報を受信したリサイクル用端末（０１０２）（０１０３）から新たな回収情報を受信した場合には、以前に受信した回収情報に新たな回収情報が累積される。
【００３１】
前記回収情報取得手段（０２０５）とは、本実施形態では、携帯電話番号をキーとして回収情報蓄積手段（０２０４）に記録されている回収情報の中から対応する携帯電話番号と対になっている回収情報を取り出す機能を備えたソフトウエアが該当する。
【００３２】
前記有機質資材販売価格算出手段（０２０６）とは、剪定枝葉の引取り料がある額に達した場合に、有機質資材の正規価格から値引き計算する機能を有するものであり、例えば図４に示すように、引取り料５千円ごとに所定の値引き額が設定され、これに基づいて有機質資材の販売価格が算出される。この有機質資材販売価格算出手段（０２０６）は、ＣＰＵ、メモリおよびソフトウエアにより実現され得る。また、前記入力部（０２０７）は、キーボード、テンキー等により実現され得る。
【００３３】
図５に示すように、リサイクル用端末（０１０２）（０１０３）は、前述したように、携帯電話機であって、剪定枝葉の回収に関する情報を入力する回収情報入力部（０５０１）と、回収情報入力部（０５０１）に入力された回収情報をリサイクル用サーバー（０１０１）に送信する回収情報送信部（０５０２）とを有するものである。
【００３４】
前記回収情報入力部（０５０１）とは、例えば携帯電話のボタンが該当する。また、前記回収情報送信部（０５０２）とは、携帯電話の送信部が該当し得る。
【００３５】
次に、前記リサイクル用サーバー（０１０１）における処理の一例について説明すると、図６に示すように、回収情報受信手段（０２０３）で回収情報を受信するまで待機し（ステップＳ０６０１）、受信した場合には、回収情報蓄積手段（０２０４）で、その回収情報と識別子とを蓄積する（ステップＳ０６０２）。その後、有機質資材の販売価格を算出する場合には、入力部（０２０７）による識別子の入力を検知し（ステップＳ０６０３）、入力があった場合には、回収情報取得部（０２０５）で、その識別子に対応する回収情報を取得し（ステップＳ０６０４）、有機質資材販売価格算出手段（０２０６）では、取得した回収情報に基づいて有機質資材の販売価格を算出する（ステップＳ０６０５）。
【００３６】
図７に示すように、リサイクル用端末（０１０２）（０１０３）における処理の一例について説明すると、回収情報入力部（０５０１）における回収情報の入力があるまで待機し（ステップＳ０７０１）、入力があった場合には回収情報送信部（０５０２）で該回収情報を送信する（ステップＳ０７０２）。
【００３７】
本実施形態における前述した各部、各手段等の定義は、後述する他の実施形態において別の定義等がされていない限り、後述する各実施形態においても同様である。
【００３８】
本実施形態のリサイクルシステムによれば、携帯電話機を所有する造園業者や樹木等所有者であれば、誰でも本リサイクルシステムを利用して有機質資材を正規価格から剪定枝葉の引取り料に応じた値引き価格で購入することができるため、広範な剪定枝葉のリサイクルが期待できる。なお、本実施形態では、廃棄植物の引取り料に基いて有機質資材の販売価格が値引きされたが、廃棄植物の回収量に基づいて有機質資材の販売価格が値引きされるようにしても良い。
【００３９】
（実施形態２）
【００４０】
本実施形態の剪定枝葉リサイクルシステムは、前記実施形態１におけるシステムにおいて、更に有機質資材の受注も情報通信により行うものである。
【００４１】
すなわち、図８に示すように、リサイクル用サーバー（０８０１）は、剪定枝葉の回収に関する情報を管理する回収情報処理部（０２０１）と、剪定枝葉を原料として得られる有機質資材の販売に関する情報を管理する販売情報処理部（０２０２）と、種々の情報を入力するための入力部（０２０７）とを有し、また前記回収情報処理部（０２０１）は、前記リサイクル用端末（０１０２）（０１０３）から送信された回収情報を受信する回収情報受信手段（０２０３）と、受信した回収情報と前記リサイクル用端末（０１０２）（０１０３）の所有者を識別する識別子とを対にして蓄積しておく回収情報蓄積手段（０２０４）とを有し、前記販売情報処理部（０２０２）は、回収情報蓄積手段（０２０４）に蓄積されている回収情報の中から特定の識別子を有する回収情報を取り出す回収情報取得手段（０２０５）と、取得した回収情報と剪定枝葉を原料として得られる有機質資材の正規価格とから有機質資材の販売価格を算出する有機質資材販売価格算出手段（０２０６）とを有する他、前記販売情報処理部（０２０２）は、前記リサイクル用端末（０１０２）（０１０３）から有機質資材注文情報を受信する有機質資材注文情報受信手段（０８０２）を更に有する。
【００４２】
また、図９に示すように、前記リサイクル用端末（０９０１）（０９０２）は、剪定枝葉の回収に関する情報を入力する回収情報入力部（０５０１）と、回収情報入力部（０５０１）に入力された回収情報をリサイクル用サーバー（０１０１）に送信する回収情報送信部（０５０２）とを有する他、有機質資材の注文情報を入力する有機質資材注文情報入力部（０９０３）と、入力された有機質資材注文情報を送信する有機質資材注文情報送信部（０９０４）とを更に有する。
【００４３】
本実施形態の剪定枝葉リサイクルシステムによれば、剪定枝葉の回収だけでなく、有機質資材の販売についても携帯電話機を利用して行うことができる。
【００４４】
（実施形態３）
【００４５】
本実施形態の剪定枝葉リサイクルシステムは、流通支援業者によって運営される会員制であって、本実施形態では、前記造園業者および樹木等所有者の他、剪定枝葉を原料として得られる有機質資材を使って野菜、花卉等を生産する植物生産者も会員となる。また、会員となる造園業者、樹木等所有者および植物生産者は、説明の都合上、一人ずつ記載されているが、それぞれ複数存在する場合もある。
【００４６】
図１０に示すように、本実施形態の剪定枝葉リサイクルシステムは、流通支援業者のリサイクル用サーバー（１００１）と、庭園等を所有する樹木等所有者のリサイクル用端末（１００２）と、庭園における樹木や街路樹等の剪定を行ったり、剪定により生じた枝葉を回収する造園業者のリサイクル用端末（１００３）と、植物生産者が所有するリサイクル用第２端末（１００４）によって構成される。
【００４７】
本実施形態において、前記リサイクル用端末（１００２）（１００３）およびリサイクル用第２端末（１００４）としては、携帯電話機、Ｌモード機能を有するファクシミリ機、携帯情報端末（ＰＤＡ）およびパーソナルコンピュータ等が該当する。
【００４８】
図１１に示すように、前記リサイクル用第２端末（１００４）は、リサイクル用端末（１００２）（１００３）の所有者に対して前記植物を販売する場合に、リサイクル用端末（１００２）（１００３）の所有者を識別する識別子を入力する識別子入力部（１１０１）と、入力された識別子をリサイクル用サーバー（１００１）に送信する識別子送信部（１１０２）と、リサイクル用サーバー（１００１）から前記送信した識別子に対応するリサイクル用端末所有者の植物値引き額情報を受信する植物値引き額情報受信部（１１０３）と、受信した値引き額情報を表示する植物値引き額情報表示部（１１０４）とを有するものである。
【００４９】
前記識別子入力部（１１０１）とは、例えば会員番号を入力するテンキーやキーボード等が該当する。
【００５０】
前記識別子送信部（１１０２）とは、例えば会員番号を送信するためのモデムおよびドライバや通信モジュール等が該当する。
【００５１】
前記植物値引き額情報受信部（１１０３）とは、リサイクル用サーバー（１００１）の回収情報蓄積手段（０２０４）における回収情報に基づく植物値引き額情報を受信する機能を有するものであり、モデム等が該当する。
【００５２】
前記植物値引き額情報表示部（１１０４）としては、液晶等のディスプレイが該当する。
【００５３】
図１２に示すように、リサイクル用サーバー（１００１）は、前記実施形態１におけるリサイクル用サーバー（０１０１）と同様、剪定枝葉の回収に関する情報を管理する回収情報処理部（０２０１）と、剪定枝葉を原料として得られる有機質資材の販売に関する情報を管理する販売情報処理部（０２０２）と、種々の情報を入力するための入力部（０２０７）とを有し、また前記回収情報処理部（０２０１）は、前記リサイクル用端末（０１０２）（０１０３）から送信された回収情報を受信する回収情報受信手段（０２０３）と、受信した回収情報と前記リサイクル用端末（０１０２）（０１０３）の所有者を識別する識別子とを対にして蓄積しておく回収情報蓄積手段（０２０４）とを有し、前記販売情報処理部（０２０２）は、回収情報蓄積手段（０２０４）に蓄積されている回収情報の中から特定の識別子を有する回収情報を取り出す回収情報取得手段（０２０５）と、取得した回収情報と剪定枝葉を原料として得られる有機質資材の正規価格とから有機質資材の販売価格を算出する有機質資材販売価格算出手段（０２０６）とを有する他、リサイクル用第２端末（１００４）から、植物を購入しようとする会員の識別子を受信する識別子受信部（１２０１）と、受信した識別子に対応する会員の回収情報に基づいて植物値引き額を算出する植物値引き額算出部（１２０２）と、算出した植物値引き額情報をリサイクル用第２端末（１００４）へ送信する植物値引き額情報送信部（１２０３）と、送信した値引き額情報を蓄積しておく植物値引き額情報蓄積部（１２０４）と、会員の氏名または名称並びに住所または所在地を蓄積しておく会員情報蓄積部（１２０５）とを更に有する。また、販売情報処理部（０２０２）の有機質資材販売価格算出手段（０２０６）は、前記植物値引き額情報蓄積部（１２０４）に蓄積されている値引き額情報に基づいて植物生産者に対する有機質資材の販売価格をも算出する。
【００５４】
本実施形態において、前記識別子とは各会員に付された会員番号であり、図１３に示すように、会員情報蓄積部（１２０５）には、この会員番号と名称等および所在地等が記録されている。
【００５５】
そして、本実施形態では、前記有機質資材販売価格算出手段（０２０６）が有機質資材の販売価格を算出するにあたり、例えば図１４に示すように、処理業者から会員の所在地までの距離を係数として剪定枝葉の引取り料（回収情報）に基づくポイントを計算し、該ポイントに基づいて有機質資材販売価格を算出する。
【００５６】
なお、前記係数は、処理業者から会員の所在地までの距離が近いほど大きく設定されている。
【００５７】
また、植物値引き額算出部（１２０２）も、野菜、花卉等の販売価格を算出するにあたり、例えば図１５に示すように、植物生産者の所在地とリサイクル用端末（０１０２）（０１０３）の所有者（植物を購入する会員）の所在地間の距離を係数として植物の値引き額を算出するものである。この植物値引き額算出部（１２０２）は、ＣＰＵ、メモリおよびソフトウエアにより実現され得る。
【００５８】
なお、前記係数も、植物生産者から会員の所在地までの距離が近いほど大きく設定されている。
【００５９】
次に、前記リサイクル用第２端末（１００４）における処理の一例について説明すると、図１６に示すように、先ず、識別子入力部（１１０１）でリサイクル端末（０１０２）（０１０３）の所有者の会員番号（識別子）の入力があるまで待機し（ステップＳ１６０１）、入力があった場合には、その会員番号を識別子送信部（１１０２）からリサイクル用サーバー（１００１）へ送信する（ステップＳ１６０２）。その後、植物値引き額情報受信部（１１０３）で、リサイクル用サーバー（１００１）から植物値引き額情報を受信するまで待機し（ステップＳ１６０３）、受信した場合にはその植物値引き額情報を表示部（１１０４）で表示する（ステップＳ１６０４）。
【００６０】
また、図１７に示すように、リサイクル用サーバー（０１０１）の処理の一例について説明すると、先ず識別子受信部（１２０１）でリサイクル用第２端末（１００４）から会員番号（識別子）を受信するまで待機し（ステップＳ１７０１）、受信した場合には、回収情報取得部（０２０５）で会員番号に対応する回収情報を取得し（ステップＳ１７０２）、取得した回収情報に基づいて植物値引き額算出部（１２０２）で植物値引き額を算出する（ステップＳ１７０３）。次に、算出した前記植物値引き額を植物値引き額情報送信部（１２０３）からリサイクル用第２端末（１００４）へ送信し（ステップＳ１７０４）、送信した植物値引き額情報を植物値引き額情報蓄積部（１２０４）に蓄積しておく（ステップＳ１７０５）。なお、リサイクル用端末（０１０２）（０１０３）の所有者（会員）が有機質資材を購入する場合には、前記実施形態と同様に処理が行われる。
【００６１】
その後、入力部（０２０７）で、リサイクル用第２端末（１００４）を所有する植物生産者の会員番号（識別子）の入力を検知し（ステップＳ１７０６）、入力があった場合には、有機質資材販売価格算出手段（０２０６）で、前記植物値引き額に基づいて植物生産者に対する有機質資材販売価格を算出する（ステップＳ１７０７）。
【００６２】
本実施形態の剪定枝葉リサイクルシステムによれば、有機質資材や野菜、花卉等をリサイクル用端末（０１０２）（０１０３）を所有する造園業者や樹木等所有者が買う場合に、剪定枝葉の処理業者や植物生産者の所在地に近いほど、有機質資材や野菜等の値引き額が大きくなるため、ある地域内での剪定枝葉のリサイクルが促進されるという利点がある。
【００６３】
なお、本実施形態においても、ある地域内に限定せず、広く剪定枝葉のリサイクルを促進させる場合には、有機質資材販売価格算出手段や植物値引き額算出部で処理業者や植物生産者の所在地を係数として価格計算をしないようにすれば良い。
【００６４】
なお、以上述べた各実施形態において、入力部、送信部、受信部および表示部等は、専用のもので実現されても良いし、或いは共用のキーボード、モデム、ディスプレイ等によって実現されても良い。
【産業上の利用可能性】
【００６５】
本発明に係る廃棄植物のリサイクルシステムは、剪定枝葉を原料として有機質資材を生産する場合の他、種々の廃棄植物を利用して新たなものを生産する場合のリサイクルの促進に広く利用することができる。
【図面の簡単な説明】
【００６６】
【図１】実施形態１のリサイクルシステムの概要を示す図である。
【図２】同実施形態におけるリサイクル用サーバーの機能ブロック図である。
【図３】回収情報と識別子の一例を示す図である。
【図４】引取り料に対する値引き額の一例を示す図である。
【図５】同実施形態におけるリサイクル用端末の機能ブロック図である。
【図６】同実施形態におけるリサイクル用サーバーの処理の一例を示すフローチャートである。
【図７】同実施形態におけるリサイクル用端末の処理の一例を示すフローチャートである。
【図８】実施形態２におけるリサイクル用サーバーの機能ブロック図である。
【図９】同実施形態におけるリサイクル用端末の機能ブロック図である。
【図１０】実施形態３のリサイクルシステムの概要を示す図である。
【図１１】同実施形態におけるリサイクル用第２端末の機能ブロック図である。
【図１２】同実施形態におけるリサイクル用サーバーの機能ブロック図である。
【図１３】同実施形態における会員情報の蓄積例を示す図である。
【図１４】有機質資材の値引き額例を示す図である。
【図１５】野菜等の値引き額例を示す図である。
【図１６】同実施形態におけるリサイクル用第２端末の処理の一例を示すフローチャートである。
【図１７】同実施形態におけるリサイクル用サーバーの処理の一例を示すフローチャートである。
【符号の説明】
【００６７】
０１０１  リサイクル用サーバー
０１０２・０１０３  リサイクル用端末
１００４  リサイクル用第２端末
０２０１  回収情報処理部
０２０２  販売情報処理部
【図１】
2005071343.tif 000003
【図２】
2005071343.tif 000004
【図３】
2005071343.tif 000005
【図４】
2005071343.tif 000006
【図５】
2005071343.tif 000007
【図６】
2005071343.tif 000008
【図７】
2005071343.tif 000009
【図８】
2005071343.tif 000010
【図９】
2005071343.tif 000011
【図１０】
2005071343.tif 000012
【図１１】
2005071343.tif 000013
【図１２】
2005071343.tif 000014
【図１３】
2005071343.tif 000015
【図１４】
2005071343.tif 000016
【図１５】
2005071343.tif 000017
【図１６】
2005071343.tif 000018
【図１７】
2005071343.tif 000019